(57)【要約】【課題】所定の優先度に基づいて、レイアウトを決定することができる写真処理装置および写真処理プログラムを提供する。【解決手段】本発明に係る写真処理装置は、複数の画像を含むパノラマサイズのアルバム用プリントの注文を受け付けるものであって、表示部（ディスプレイ２２）と入力部（タッチパネル２３）とレイアウト決定部３６とを備えている。表示部は、画面を表示する。入力部は、ユーザが所定の情報を入力する。レイアウト決定部は、ユーザが指定した所定の優先度に基づいて、パノラマアルバムにおける画像のレイアウトを決定する。【選択図】図４
2009239679.tif 000002
【特許請求の範囲】
【請求項１】
複数の画像を含むパノラマサイズのアルバム用プリントの注文を受け付ける写真処理装置であって、
前記アルバム用プリントに関する情報を表示する表示部と、
前記表示部に表示された前記情報に基づいて、ユーザが所定の情報を入力する入力部と、
前記入力部に入力された所定の優先度に基づいて、前記パノラマアルバムにおける前記画像のレイアウトを決定するレイアウト決定部と、
を備える写真処理装置。
【請求項２】
前記レイアウト決定部は、前記パノラマアルバムの頁数が少なくなるように、それぞれの前記画像毎の前記プリント頁および／または前記プリントの向きを決定する、
請求項１に記載の写真処理装置。
【請求項３】
前記レイアウト決定部は、前記画像の撮影順に前記画像のレイアウトを決定する、
請求項１または２に記載の写真処理装置。
【請求項４】
前記レイアウト決定部が決定する前記レイアウトに基づいて、前記パノラマアルバムの料金を、前記レイアウトが変更される度に算出する料金算出部をさらに備えている、
請求項１から３のいずれか１項に記載の写真処理装置。
【請求項５】
複数の画像を含むパノラマサイズのアルバム用プリントを出力させる写真処理プログラムであって、
ユーザが所定の情報を入力する第１ステップと、
前記ユーザが指定した所定の優先度に基づいて、前記パノラマアルバムにおける前記画像のレイアウトを決定する第２ステップと、
を備える写真処理方法をコンピュータに実行させる写真処理プログラム。
【発明の詳細な説明】
【技術分野】
【０００１】
本発明は、アルバム用プリントを出力する写真処理装置および写真プログラムに関する。
【背景技術】
【０００２】
近年、写真処理装置は、デジタルカメラなどで撮影した画像を個々にプリントするだけではなく、撮影した画像を、アルバムを形成する用紙に直接プリントするアルバム用プリントを行うことができる（例えば、特許文献１参照）。
特に、パノラマサイズの用紙の１頁につき複数（例えば、３枚）の画像をプリントするパノラマアルバムは、携帯性にも優れ、ユーザに重宝されている。
【０００３】
通常、画像（写真）は、被写体の上下方向が画像データの長手方向と略平行になるように撮影した画像（縦画像）と被写体の左右方向が画像データの長手方向と略平行になるように撮影した画像（横画像）とがある。
【特許文献１】特開２００３−３３８９１９号公報（平成１５年１１月２８日公開）
【発明の開示】
【発明が解決しようとする課題】
【０００４】
ここで、例えば、パノラマサイズの用紙には、３枚の画像を配置することができる場合や２枚の画像を配置することができる場合など、個々の画像を縦向きにプリントするか横向きにプリントするか（レイアウト）によって１頁にプリントすることができる画像の数が増減する。したがって、アルバムの頁数も個々の画像のレイアウトに依存して増減するため、画像のレイアウトによってアルバムの料金も増減してしまう。
【０００５】
そして、従来の写真処理装置では、レイアウトを決定するための制御が予め設置されているため、ユーザが、自由にレイアウトを決定したりレイアウトの優先度を選択したりすることができないという課題がある。
そこで、本発明の目的は、所定の優先度に基づいて、レイアウトを決定することができる写真処理装置および写真処理プログラムを提供することにある。
【課題を解決するための手段】
【０００６】
第１の発明の係る写真処理装置は、複数の画像を含むパノラマサイズのアルバム用プリントの注文を受け付ける写真処理装置であって、表示部と入力部とレイアウト決定部とを備えている。表示部は、画面を表示する。入力部は、ユーザが所定の情報を入力する。レイアウト決定部は、ユーザが指定した所定の優先度に基づいて、パノラマアルバムにおける画像のレイアウトを決定する。
【０００７】
ここでは、複数の画像を含むパノラマサイズのアルバム用プリントの注文を受け付ける写真処理装置において、顧客にとっての画像の見易さを考慮しつつ、プリントする頁数の削減によるパノラマアルバムの低料金化を可能にするために、以下のような構成を採用している。
当該写真処理装置は、パノラマサイズの用紙の１の頁に複数（例えば、３枚）の画像がプリントされているアルバム用プリントの注文を受け付ける。このため、当該写真処理装置は、アルバム用プリントに関する情報を表示する表示部と、この表示部に表示された情報に基づいてユーザが所定の情報を入力するための入力部と、を備えている。また、当該写真処理装置は、レイアウト決定部を備えている。このレイアウト決定部は、ユーザによって入力された所定の優先度に基づいて、パノラマアルバムにおける画像のレイアウトを決定する。
【０００８】
ここで、写真処理装置とは、受付端末装置であってもよく、また、受け付けた注文内容をデータとして出力するものであってもよく、さらには、出力したデータに基づいてパノラマアルバム用プリントを作製するプリンタなどを含んでもよい。パノラマアルバムとは、頁を構成する用紙（印画紙）がパノラマサイズの用紙であって、この用紙の長手方向に沿って複数の画像（写真）がプリントされるものである。また、パノラマサイズとは、縦横の長さの比が、例えば、７：１６の矩形型のサイズである。具体的には、縦横の長さの比が２：３である通常の写真画像を、パノラマサイズの長手方向に対し通常の写真画像の縦方向（短手方向）が平行になるようにプリント（横向きにプリント）した場合、すなわち横長にプリントした場合、上記長手方向に沿って、３枚の写真画像をプリントすることができるサイズである。
【０００９】
また、ユーザとは、当該写真処理装置を使用する人であって、顧客やオペレータなどであってもよい。
また、所定の優先度とは、パノラマアルバムにおける画像のレイアウトの優先基準を定めるものであって、例えば、画像の見易さを優先するものや、低料金化を優先するもの、あるいは、画像が撮影された日時、すなわち撮影順を優先するものであってもよい。また、これらの優先基準を組み合わせたものであってもよい。
【００１０】
また、レイアウトとは、画像がプリントされる頁、その頁における位置、および向き（縦向き、横向きなど）である。また、プリント頁とは、画像がプリントされるパノラマアルバムにおける頁である。また、プリントの向きとは、画像がプリントされる向きであって、具体的には、縦向き、または横向きである。
このような構成により、ユーザによって入力指定された所定の優先度に基づいたレイアウトでパノラマアルバムを形成することができるため、例えば、低料金化を優先してアルバムを形成したり、撮影の向き（見易さ）を優先してアルバムを形成したりすることができる。具体的には、低料金化を優先する場合は、１頁にプリントされる画像の枚数が多くなるように、全ての画像を横向きに配置してプリントすることができる。また、見易さを優先する場合は、横画像として撮影された画像と縦画像として撮影された画像とをそれぞれの撮影方向に応じた向きにプリントすることができる。また、所定枚数までの料金が一律で定められている場合は、この所定枚数を超えないように、上述の優先度を組み合わせてプリントすることもできる
この結果、ユーザは、アルバムにおける画像のレイアウトの優先度を選択することができる。したがって、ユーザの希望に応じたアルバムを形成することが可能になる。
【００１１】
第２の発明に係る写真処理装置は、第１の発明に係る写真処理装置であって、レイアウト決定部は、パノラマアルバムの頁数が少なくなるように、それぞれの画像毎のプリント頁および／またはプリントの向きを決定する。
ここでは、ユーザが指定した優先度が頁を削減する点であった場合、レイアウト決定部は、パノラマアルバムの頁数を削減するように画像のレイアウトを決定する。
【００１２】
ここで、頁数を削減するためのレイアウトは、例えば、全ての画像を横向きにプリントするレイアウトであってもよい。具体的には、１頁に３枚の画像をプリントするレイアウトであってもよい。または、例えば、横画像を横向きに、縦画像を縦向きにプリントするレイアウトであっても、横画像と縦画像とを分類して、これらを同一の頁にプリントしないレイアウトであればよい。
【００１３】
これにより、縦向きにプリントされている画像と横向きにプリントされている画像とが混在する頁を無くすまたは少なくすることができるため、頁数を削減することが可能になる。
この結果、ユーザにとって見易いパノラマアルバムを提供することができる。また、通常、パノラマアルバムの料金は頁数に比例するため、ユーザは、形成されたパノラマアルバムを従来よりも低料金で購入することが可能になる。
【００１４】
第３の発明に係る写真処理装置は、第１または第２の発明に係る写真処理装置であって、レイアウト決定部は、画像の撮影順に画像のレイアウトを決定する。
ここでは、ユーザが指定した優先度が画像の撮影順であった場合、レイアウト決定部は、画像の撮影順にこの画像のレイアウトを決定する。
ここで、撮影順とは、画像が撮影された日時の早い順またはおそい順である。
これにより、画像が撮影されたイベント順に配置することが可能になる。
この結果、イベント毎にまとめられたレイアウトのアルバムを形成することができる。また、例えば、子供の成長を記録した画像などは、その成長順に配置されたアルバムを形成することが可能になる。
【００１５】
第４の発明に係る写真処理装置は、第１から第３の発明のいずれか１つに係る写真処理装置であって、料金算出部をさらに備えている。この料金算出部は、レイアウト決定部が決定するレイアウトに基づいて、パノラマアルバムの料金を、レイアウトが変更される度に算出する。
ここでは、レイアウトの変更に伴うパノラマアルバムの料金変化をユーザに随時知らせるために、その料金を、随時、算出する。
【００１６】
ここで、パノラマアルバムの料金は、このアルバムの頁数に比例するものであってもよい。
これにより、アルバムの料金を、随時、ユーザに対して提示することができる。したがって、ユーザは、常に料金を確認および比較しながら、レイアウトを決定するための優先度を入力することができる。
この結果、従来よりもユーザの希望に沿ったパノラマアルバムを提供することが可能になる。
【００１７】
第５の発明に係る写真処理プログラムは、複数の画像を含むパノラマサイズのアルバム用プリントを出力させる写真処理プログラムであって、第１ステップと第２ステップとを備える写真処理方法をコンピュータに実行させる。第１ステップは、ユーザが所定の情報を入力する。第２ステップは、ユーザが指定した所定の優先度に基づいて、パノラマアルバムにおける画像のレイアウトを決定する。
【００１８】
ここでは、複数の画像を含むパノラマサイズのアルバム用プリントを出力させる写真処理プログラムにおいて、顧客にとっての画像の見易さを考慮しつつ、プリントする頁数の削減によるパノラマアルバムの低料金化を可能にするために、以下のようなステップを備えている写真処理方法をコンピュータに実行させる。
当該写真処理プログラムは、パノラマサイズの用紙の１の頁に複数（例えば、３枚）の画像がプリントされているアルバム用プリントを出力させる。このため、当該写真処理プログラムがコンピュータに実行させる写真処理方法は、ユーザが所定の情報を入力する第１ステップを備えている。また、当該写真処理プログラムがコンピュータに実行させる写真処理方法は、第２ステップを備えている。この第２ステップでは、ユーザによって入力指定された所定の優先度に基づいて、パノラマアルバムにおける画像のレイアウトを決定する。
【００１９】
ここで、パノラマアルバムとは、頁を構成する用紙（印画紙）がパノラマサイズの用紙であって、この用紙の長手方向に沿って複数の画像（写真）がプリントされるものである。また、パノラマサイズとは、縦横の長さの比が、例えば、７：１６の矩形型のサイズである。具体的には、縦横の長さの比が２：３である通常の画像を、パノラマサイズの長手方向に対し通常の画像の縦方向（短手方向）が平行になるようにプリント（横向きにプリント）した場合、すなわち横長にプリントした場合、上記長手方向に沿って、３枚の画像をプリントすることができるサイズである。
【００２０】
また、ユーザとは、当該写真処理装置を使用する人であって、顧客やオペレータなどであってもよい。
また、所定の優先度とは、パノラマアルバムにおける画像のレイアウトの優先基準を定めるものであって、例えば、画像の見易さを優先するものや、低料金化を優先するもの、あるいは、画像が撮影された日時、すなわち撮影順を優先するものであってもよい。また、これらの優先基準を組み合わせたものであってもよい。
【００２１】
また、レイアウトとは、画像がプリントされる頁、および向き（縦向き、横向きなど）である。また、プリント頁とは、画像がプリントされるパノラマアルバムにおける頁である。また、プリントの向きとは、画像がプリントされる向きであって、具体的には、縦向き、または横向きである。
このような構成により、ユーザによって入力指定された所定の優先度に基づいたレイアウトでアルバム用プリントを出力させることができるため、ユーザにとっては、例えば、低料金化を優先してアルバムを形成したり、見易さを優先してアルバムを形成したりすることができる。具体的には、低料金化を優先する場合は、１頁にプリントされる画像の枚数が多くなるように、全ての画像を横向きにプリントするレイアウトにすることができる。また、見易さを優先する場合は、横向きに撮影された画像と縦向きに撮影された画像とをそれぞれの撮影方向に応じた向きにプリントするレイアウトにすることができる。また、所定枚数までの料金が一律で定められている場合は、この所定枚数を超えないように、上述の優先度を組み合わせたプリントを実行させることもできる。
【００２２】
この結果、ユーザは、アルバムにおける画像のレイアウトの優先度を選択することができる。したがって、ユーザの希望に応じたアルバムを形成することが可能になる。
【発明の効果】
【００２３】
本発明によると、ユーザは、アルバムにおける画像のレイアウトの優先度を選択することができる。したがって、ユーザの希望に応じたアルバムを形成することが可能になる。
【発明を実施するための最良の形態】
【００２４】
本発明の一実施形態に係る受付端末装置（写真処理装置）２を含む写真処理システム１について、図１〜図１７を用いて説明すれば以下の通りである。
以下の説明において、「縦画像」とは、被写体の上下方向が写真の長手方向と平行になるように撮影した画像Ｇを示す。また、「横画像」とは、被写体の左右方向が写真の長手方向と平行になるように撮影した画像Ｇを示す。また、パノラマアルバムにおいて、これらの画像Ｇを「縦向きに配置する」とは、図１７（ａ）に示すように、パノラマアルバムを構成する縦長の用紙に対し、上記画像Ｇの長手方向が上記用紙の長手方向と平行になるように配置することである。一方、画像Ｇを「横向きに配置する」とは、図１７（ｂ）に示すように、パノラマアルバムを構成する縦長の用紙に対し、上記画像Ｇの長手方向が上記用紙の短手方向と平行になるように配置することである。
【００２５】
本実施形態の写真処理システム１は、顧客から受注した情報に基づいて、パノラマアルバムを作製するためのシステムである。このパノラマアルバムとは、頁を構成する用紙（印画紙）がパノラマサイズの用紙であって、この用紙の長手方向に沿って複数の画像Ｇ（写真）がプリントされるものである。具体的には、パノラマアルバムを構成する用紙のサイズは、縦横の長さの比が、３６：１３の矩形型のサイズであり、縦横の長さの比が２：３である通常の画像Ｇを、横向きに配置する場合、上記長手方向に沿って、３枚の画像Ｇをプリントすることができるサイズである。
【００２６】
［写真処理システム１全体の構成］
写真処理システム１は、図１に示すように、受付端末装置（写真処理装置）２と、写真プリント装置５とによって構成されている。受付端末装置２と写真プリント装置５とは、互いにネットワーク８によって通信可能に接続されている。
また、この写真処理システム１は、ＤＰ（デジタルプリント）店における既設の写真プリント装置５に、ネットワーク８と２台の受付端末装置２とを追加することにより構築される。
【００２７】
なお、本実施形態においては、顧客自らが操作者（ユーザ）となってパノラマアルバムの注文を行う。具体的には、操作者は、デジタルの写真画像情報が記憶保存された記録媒体Ｍ１（以下、メディアＭ１と示す）を受付端末装置２におけるメディアドライブ２４（図２参照）にセットする。次に、表示手段としてのディスプレイ（表示部）２２（図２参照）に表示される注文用画面を視認しながら、ディスプレイ２２上に形成されているタッチパネル（入力部）２３に対して、プリント注文を行うための入力操作を行う。
【００２８】
これにより、パノラマアルバム用プリントの注文に必要な項目（例えば、レイアウトや表紙のデザインなど）が受け付けられ、その注文情報が写真プリント装置５に送信される。その後、写真プリント装置５では、受付端末装置２から送信されてくる注文情報に基づいて、パノラマサイズの印画紙Ｐに各画像Ｇのプリントを行う。
そして、操作者は、プリント注文終了後に受付端末装置２によってプリント発行された受付証ｒｅ（図２参照）と、写真プリント装置５によってプリントされた仕上がりプリントｐとを、ＤＰ店の店員を介して引き換える。
【００２９】
また、メディアＭ１の具体例としては、スマートメディア、コンパクトフラッシュ（登録商標）、メモリスティック（登録商標）、メディアのアタッチメントとして機能するＰＣカード、操作者自身が画像情報を保存したＣＤ−ＲＯＭやＭＯ等が挙げられる。
【００３０】
［受付端末装置２の構成］
受付端末装置２は、図２に示すように、筐体２１と、液晶型のディスプレイ２２とを備えている。
ディスプレイ２２は、筐体２１の上面に配置されている。そして、ディスプレイ２２は、画像表示面に入力手段としてのタッチパネル（入力部）２３が形成されている。タッチパネル２３は、操作者が接触して入力操作を行うことにより入力操作信号を出力するように構成されており、その操作者が接触する領域によって異なる入力操作信号を出力するものである。
【００３１】
筐体２１の前面には、各メディアドライブ２４にメディアＭ１をセットするための挿入口と、受付証ｒｅを発行するための熱転写式の受付証プリンタ２５が設けられている。筐体２１の内部には、制御手段としてのコントローラ２０およびデータ格納部としてのハードディスク２６が内蔵されている。
コントローラ２０は、機能的には、ネットワーク機能を有する汎用コンピュータと実質的に同様であり、複数のメディアドライブ２４およびタッチパネル２３との情報のやりとり、操作者のタッチパネル２３への入力操作に基づいて、写真プリント装置５によるプリント出力に用いられる注文情報の作成、ハードディスク２６への格納管理、受付証プリンタ２５等の制御を行う。また、コントローラ２０は、図３に示すように、ＣＰＵ２７と、作業領域が形成されるＲＡＭ型の半導体メモリや、プログラムやパラメータが保存されるＲＯＭ型の半導体メモリなどの種々のメモリ２８を有している。また、コントローラ２０は、ＲＯＭに格納された情報入力処理プログラムＰＧをＲＡＭに読み込ませることにより、図４に示すように、画像情報処理部３１と、表示制御部３２と、入力検出部（第１ステップ）３３と、注文情報処理部３４と、受付証発行処理部３５と、レイアウト決定部（第２ステップ）３６と、料金算出部３７とを備えた機能ブロックを形成する。そして、上記機能ブロックは、コントローラ２０によって実行可能な状態となる。
【００３２】
画像情報処理部３１は、メディアドライブ２４に挿入されたメディアＭ１から読み出した画像情報（ＪＰＥＧやＴＩＦＦ等）をサムネイル形式の画像Ｇ（以下、画像Ｇと示す）としてディスプレイ２２に表示する。そして、本実施形態においては、例えば、図１６に示すように、操作者からみて縦長のパノラマサイズの領域内に、この画像情報処理部３１によって処理された画像Ｇが表示される。
【００３３】
表示制御部３２は、操作者にメディアドライブ２４によって読み出される画像情報のプリント注文を行うための入力操作を促す複数の注文用画面をディスプレイ２２に表示する。この注文用画面には、画像情報処理部３１によって形成された画像情報（サムネイル画像）と、タッチパネル２３を介することによって各種命令を確定する入力領域が含まれている。また、表示制御部３２は、後述する入力検出部３３によって判定された操作者の入力操作内容に基づいて、随時、注文用画面を切り替えて表示する。また、本実施形態においては、この注文用画面には、アルバムプリントを形成するための、各画像Ｇのプリント頁やプリントの向きを指定するための入力領域が含まれている。
【００３４】
入力検出部３３は、タッチパネル２３から出力された入力操作信号を受信して、操作者が入力操作（接触）したタッチパネル２３上の座標情報を認識する。そして、入力検出部３３は、認識した座標情報に基づいて、タッチパネル２３上の座標情報とディスプレイ２２に表示させている注文用画面とを照らし合わせて、操作者の入力操作の内容を判定する。
【００３５】
注文情報処理部３４は、操作者の入力操作により設定された各画像Ｇのプリント頁や、プリントの向きなどからパノラマアルバム用プリントｐの注文情報を作成し、注文番号等を付してハードディスク２６に記憶させる。
受付証発行処理部３５は、操作者のプリント注文終了後に、注文の明細、端末ＩＤおよび注文ＩＤ等を受付証プリンタ２５でプリントして受付証ｒｅとして出力させる。そして、この受付証ｒｅは、サービスカウンターにおいてパノラマアルバム用プリントｐと交換するために使用される。
【００３６】
レイアウト決定部３６は、表示制御部３２によってディスプレイ２２に表示されているパノラマサイズの領域に、画像情報処理部３１によって処理された画像Ｇを、どのように配置するかを決定する。すなわち、レイアウト決定部３６は、メディアＭ１から取得した画像Ｇを配置する際のパノラマアルバムにおける頁や位置および向き（縦向きに配置するか横向きに配置するか）を決定する。この決定は、操作者によって入力された所定の優先度に基づいて行われる。
【００３７】
ここで、所定の優先度とは、パノラマアルバムにおける画像Ｇのレイアウトの優先基準を定めるものであって、本実施形態においては、低料金化を優先するものや、撮影時における撮影の向きを優先するもの、あるいは、画像Ｇが撮影された日時、すなわち撮影順を優先するものである。
料金算出部３７は、パノラマアルバム用プリントｐの料金を算出する。本実施形態においては、パノラマアルバムの料金は、頁数に基づいて決定されるものとし、具体的には、頁数が１０頁までのパノラマアルバムであれば一定の料金である。そして、１０頁を超える場合は、１頁につき所定の料金が加算されるものとする。
【００３８】
したがって、料金算出部３７は、まず、プリントする画像Ｇの枚数が決定された後、パノラマアルバムの頁数を予め設定されたデフォルトのレイアウトを適用して算出する。つまり、１頁に３枚の画像Ｇがプリントされる場合、アルバムの頁数は、画像Ｇの枚数をｎ、アルバムの頁数をｍとすると（ただし、ｎ，ｍは正の整数）、ｎ／３≦ｍ≦１＋（ｎ／３）である。このため、例えば、画像Ｇの枚数が４０枚であるときは、頁数は１４頁となる。そして、１０頁までの料金を７５０円とし、１０頁を越える場合の１頁の料金を５０円とすると、この場合のパノラマアルバムの料金は、９５０円となる。
【００３９】
このように、パノラマアルバムとしてプリントする画像Ｇの枚数が決定された場合、料金算出部３７は、このパノラマアルバムの料金を算出する。その後さらに、料金算出部３７は、操作者によってレイアウトの変更が行われる度に料金を再算出する。これは、レイアウトの変更によってパノラマアルバムの頁数が増減する可能性があるからである。そして、料金算出部３７によって、算出された料金を含む料金情報は、表示制御部３２によって常に表示されるように処理され、操作者は常に料金を確認しながらレイアウトを決定することができる。
【００４０】
上記に示した機能ブロックによって、操作者の入力操作の内容に応じてパノラマアルバム用プリント注文に必要な全ての項目を設定するとともに、この設定された項目によりプリント対象の画像情報を含む注文情報を作成する。そして、注文情報をハードディスク２６に保存し、かつ、受付証プリンタ２５により受付証ｒｅをプリント発行し、写真プリント装置５へ注文情報を転送する。
なお、受付端末装置２のコントローラ２０は、写真プリント装置５とＬＡＮ（Ｌｏｃａｌ  Ａｒｅａ  Ｎｅｔｗｏｒｋ）接続され、ＴＣＰ／ＩＰ形式のプロトコルで互いに情報のアクセスを行えるよう構成されている。
【００４１】
［写真プリント装置５の構成］
写真プリント装置５は、記録シートとしての銀塩式のパノラマサイズ印画紙Ｐに画像情報のプリントを行うデジタル型の写真プリント装置であって、図１，図５に示すように、操作ステーション６とプリントステーション７とを備えている。
【００４２】
（操作ステーション６の構成）
操作ステーション６は、図１に示すように、デスク上に配置された、フィルムスキャナ６１と、メディアリーダ６２と、モニタ６３と、キーボード６４と、マウス６５と、パソコンＰＣとを有している。
フィルムスキャナ６１は、写真フィルムＦに現像された撮影コマに対応する画像Ｇを画像データとして取り込む。
【００４３】
メディアリーダ６２は、写真プリント装置５のコントローラ（図示せず）として機能するパソコンＰＣに搭載されており、デジタルカメラ等で撮影された画像データをメモリカードや各種半導体メモリ、ＣＤ−Ｒ等のメディアから取り込む。
パソコンＰＣは、受付端末装置２、プリントステーション７、フィルムスキャナ６１、モニタ６３、キーボード６４およびマウス６５と接続されている。
【００４４】
（プリントステーション７の構成）
プリントステーション７は、図５に示すように、内部に２つの印画紙マガジン７１と、シートカッター７２と、バックプリント部７３と、プリント露光部７４と、処理槽ユニット７５と、コンベア７６と、ソータ７７（図１参照）と、印画紙搬送機構７８とを有している。
【００４５】
２つの印画紙マガジン７１は、プリントステーション７の内部においてロール状の印画紙Ｐを１つずつ収納しており、印画紙搬送機構７８によって適宜必要な量の印画紙Ｐが引き出される。
シートカッター７２は、印画紙搬送機構７８の一部と隣接するように配置されており、印画紙マガジン７１から引き出された印画紙Ｐをパノラマサイズに切断する。
【００４６】
バックプリント部７３は、シートカッター７２の下流側であって印画紙搬送機構７８と隣接する位置に配置されており、パノラマサイズに切断された印画紙Ｐの裏面側に、色補正情報やコマ番号等のプリント処理情報をプリント処理する。
プリント露光部７４は、バックプリント部７３の下流側における印画紙搬送機構７８に隣接するように配置されており、パノラマサイズに切断された印画紙Ｐの表面に対して、プリントする画像Ｇの露光を行う。また、プリント露光部７４には、副走査方向に搬送される印画紙Ｐに対して主走査方向に沿ってＲＧＢの３色のレーザ光線を照射する図示しないライン露光ヘッドを有している。
【００４７】
処理槽ユニット７５は、プリント露光部７４の下流側に配置されており、発色現像処理液を貯留する発色現像槽７５ａ、漂白定着処理液を貯留する漂白定着槽７５ｂ、安定処理液を貯留する安定処理層７５ｃを有している。そして、露光後の印画紙Ｐがこれらの各処理槽７５ａ〜７５ｃをこの順で経由しながら印画紙搬送機構７８によって搬送されることで、所望の写真プリント画像が印画紙Ｐの表面に形成される。
【００４８】
コンベア７６は、プリントステーション７の上部に露出しており、写真プリント画像が表面に形成されて乾燥処理後に排出された印画紙Ｐをソータ７７（図１参照）の方向へ搬送する。
ソータ７７は、プリントステーション７の前面側に鉛直方向に複数のトレイを並べた状態で配置されており、コンベア７６によって搬送されるプリント済の印画紙Ｐを、オーダ単位で各トレイに振り分ける（図１参照）。
【００４９】
印画紙搬送機構７８は、プリントステーション７の内部において、印画紙マガジン７１に収容されたロール状の印画紙Ｐを引き出すとともに、パノラマサイズに切断された印画紙Ｐを、印画紙Ｐに対して行われる様々な処理に対応した搬送速度で搬送する。また、印画紙搬送機構７８は、印画紙Ｐの搬送方向におけるプリント露光部７４の上流側および下流側にそれぞれ配置されたチャッカー式搬送ユニット７８ａと、複数の挟持搬送ローラ対７８ｂとを有している。
【００５０】
［受付端末装置２における受付処理］
次に、受付端末装置２におけるコントローラ２０による基本的な受付処理を処理順序に沿って説明する。図６は、この処理の概要を示すフローチャートである。
ステップＳ１においては、受付端末装置２の待機状態であって、表示制御部３２は、初期画面として、例えば、図７に示すように、受付端末装置２の機能やＤＰ店のロゴマーク等を含む「待機画面」をディスプレイ２２に表示させている。この待機画面には、「画面に触れてください」とのメッセージが表示されていて、プリント注文を行う操作者にタッチパネル２３に触れることを促す。そして、操作者が、タッチパネル２３に指などを接触させることにより、ステップＳ２へ進む。
【００５１】
ステップＳ２においては、表示制御部３２は、最初の注文用画面として、例えば、図８に示すような「メディア選択画面」をディスプレイ２２に表示させる。この「メディア選択画面」には、「メディアを選択してください」とのメッセージと共に、複数のメディアボタン４３が表示されて、操作者に複数のメディアの中から１つのメディアを選択する入力操作を促す。そして、操作者が、メディアドライブ２４にセットするメディアに対応するメディアボタン４３を入力操作することによって、ステップＳ３へ進んで、次の処理を実行する。
【００５２】
なお、「メディア選択画面」の下側には、処理を中止するための中止ボタン４２ｃと、表示中の注文用画面（ここでは「メディア選択画面」）の１つ前に表示された注文用画面（ここでは「サービス選択画面」）に戻るための戻るボタン４２ｄとが表示されている。そして、これらの中止ボタン４２ｃおよび戻るボタン４２ｄは、後述の各注文用画面においても同様の位置に表示され、ボタン接触操作により同様に機能する。
【００５３】
ステップＳ３においては、表示制御部３２は、次の注文用画面として、「メディアセット案内画面」（図示せず）をディスプレイ２２に表示させる。この画面には、「メディアをセットして、ＯＫボタンを押してください」とのメッセージと共に、ステップＳ３において操作者が選択したメディアをセットする際の具体的な画像が表示されている。そして、操作者がメディアドライブ２４にメディアをセットし、ＯＫボタン（図示せず）を入力操作することで、ステップＳ４へ進む。
【００５４】
ステップＳ４においては、画像情報処理部３１が、メディアＭ１から画像情報を読み出し、その後、ステップＳ５へ進む。
ステップＳ５においては、表示制御部３２は、次の注文用画面として、図９に示すような「出力形式選択画面」をディスプレイ２２に表示させる。この画面には、「出力形式を選択してください」とのメッセージと共に、複数の出力形式に対応した出力形式指定ボタン４５が表示されている。出力形式指定ボタン４５は、出力形式を示す「通常プリント」や「パノラマアルバムプリント」等の出力形式が模式的に表現された画像と共に表示される。そして、操作者がいずれか１つの出力形式指定ボタン４５を入力操作すると、注文情報処理部３４は、その入力操作された出力形式をメモリ２８に記憶させる。その後、ステップＳ６へ進んで、次の処理を実行する。
【００５５】
ステップＳ６においては、表示制御部３２は、次の注文用画面として、図１０に示すような「プリントおよび撮影向き指定画面」をディスプレイ２２に表示させる。この画面は、操作者に、プリントする画像Ｇの指定、および画像Ｇが縦画像として撮影されたものであるか横画像として撮影されたものであるかの設定を行わせる。この画面には、「プリントする画像と縦横方向とを指定してください」とのメッセージと、メディアＭ１から読み出された複数の画像Ｇとが表示されている。なお、本実施形態においては、８つの画像Ｇが１ページ分として表示される。
【００５６】
また、この画面における各画像Ｇを含むフレーム４６の上段には、画像Ｇの情報を特定するファイルの名称、ファイルの種類を示す拡張子およびデータサイズが表示されている。また、フレーム４６の下段には、その画像Ｇをプリントするか否かを指定するためのプリント指定ボタン４７が形成され、かつ、このプリント指定ボタン４７を互いに挟む位置に画像Ｇがどの向きで撮影されたものであるか（縦画像であるか横画像であるか）を指定するための時計回り回転ボタン４７ａと、反時計回り回転ボタン４７ｂとが表示されている。さらにまた、プリント指定ボタン４７の下側には、画像Ｇの補正を行うべく図示しない「画像補正画面」へ移行する補正ボタン４７ｃが表示されている。
【００５７】
プリント指定ボタン４７には、初期状態においては「プリント」と表示されている。この表示状態は、そのプリント指定ボタン４７の上に表示されている画像Ｇがアルバムとしてプリントされることを示している。そして、操作者がプリント指定ボタン４７に触れると、表示が「キャンセル」に切り替わる。この状態は、そのプリント指定ボタン４７の上に表示されている画像Ｇがアルバムにプリントされないことを示している。
【００５８】
また、時計回り回転ボタン４７ａまたは反時計回り回転ボタン４７ｂが操作されると、その画像Ｇが縦画像として撮影されたものであるか横画像として撮影されたものであるかが指定される。そして、その上に表示されたそれぞれの画像Ｇが撮影向きに応じた画像Ｇに切り替わる（入力指定された回転方向に９０度回転する）。
また、この画面の画面下側領域には、中止ボタン４２ｃと、この画面での指定を完了するＯＫボタン４４と、現在表示中の画像群から１つ前に表示された画像群を表示させる戻るボタン４６ｄと、次の画像群を表示させる進むボタン４６ｅとが表示されている。そして、戻るボタン４６ｄと進むボタン４６ｅとの間には、画像群番号を示す数字（全画像群の数を示す数字および現在表示されている画像群を示す数字）が表示されている。さらに、画面下側の中央位置には、情報エリアＤＥが表示されている。この情報エリアＤＥには、選択された画像数、選択された画像Ｇを全て横向きにプリントした場合に必要とされる頁数、およびパノラマアルバムの料金が表示される。ただし、この画面で表示される料金は、全ての画像Ｇが横向きにプリントされた場合の頁数および料金である。
【００５９】
これにより、プリント対象とする画像Ｇを選択し、かつ、画像Ｇの撮影向きを指定した後、この画面におけるＯＫボタン４４を操作者が接触操作することで、注文情報処理部３４は、プリント対象の画像Ｇおよび撮影向きをメモリ２８に記憶する。
そして、ＯＫボタンが入力指定された場合には、ステップＳ７に進む。
ステップＳ７においては、表示制御部３２は、次の注文用画面として、図１１に示すように、「レイアウト優先度指定画面」をディスプレイ２２に表示させる。この画面には、「レイアウトの優先度を指定してください」とのメッセージと共に、レイアウトに関する複数の優先度に対応した複数の優先度指定ボタン５０ａ，５０ｂ，５０ｃが表示されている。この優先度指定ボタン５０には、全ての画像Ｇを横向きに配置するレイアウトとして「低料金化を優先するレイアウト」、指定された撮影向きをそのまま反映させて配置するレイアウトとして「撮影向きを優先するレイアウト」、撮影された日時順に配置することを優先するレイアウトとして「撮影順序を優先するレイアウト」が含まれる。そして、操作者が少なくとも１つの優先度指定ボタン５０を入力指定すると、ステップＳ８に進む。
【００６０】
ステップＳ８においては、レイアウト決定部３６は、その入力指定された優先度に基づいてパノラマアルバムのレイアウトを決定し、このレイアウトはメモリ２８に記憶される。
ここで、それぞれの優先度が指定された場合のレイアウトの例を説明する。
まず、「低料金化を優先するレイアウト」が選択された場合は、レイアウト決定部３６は、パノラマアルバムの頁数を最も少なくするようにレイアウトを決定する。具体的には、全ての画像Ｇが横向きに配置されたレイアウトである。つまり、図１２に示すように、縦長のパノラマサイズの用紙ＰＳに横向きに配置された３枚の写真画像Ｇが縦に並んで配置されるレイアウトである。なお、このレイアウトにおける画像Ｇの配置順序は、初期設定ではデジタルカメラに付随する撮影日時データに基づいた順序である。
【００６１】
これにより、顧客にとって最も低料金のパノラマアルバムを提供することが可能になる。
次に、「撮影向きを優先するレイアウト」が指定された場合は、レイアウト決定部３６は、ステップＳ６において操作者によって入力指定された各画像Ｇの撮影向きに基づいて、この指定された撮影向きと同じ向きで各画像Ｇを配置する。つまり、図１３（ａ）〜（ｆ）に示すように、縦画像として指定された画像Ｇは縦向きに配置され、横画像として指定された画像Ｇは横向きに配置される。また、このレイアウトが指定された場合は、レイアウト決定部３６は、縦画像と横画像とをそれぞれまとめて配置する。具体的には、横画像と縦画像とを配置する頁を別々に設ける。本実施形態においては、横画像をパノラマアルバムの前側の頁に配置する。
【００６２】
また、図１３（ａ）に示すように、横画像と縦画像とが一枚ずつ余った状態で配置される場合は、さらに、表示制御部３２によって、ディスプレイ２２に「低料金化を優先するレイアウトを適用しますか」とのメッセージが表示される。そして、操作者がこのメッセージに対して入力指定を行うと、図１４に示すように、レイアウト決定部３６は、上記の余った横画像１枚と縦画像１枚とを用紙ＰＳの１つの頁に配置する。
【００６３】
これにより、頁数を１枚減らすことができるため、料金を安くすることができる。
次に、「撮影順序を優先するレイアウト」が指定された場合は、レイアウト決定部３６は、縦画像であるか横画像であるかに関わらず、撮影順序に基づいて用紙ＰＳの各頁に画像Ｇを配置する。つまり、図１５に示すように、「低料金化を優先する」が選択された場合とは異なり、縦画像は用紙ＰＳに縦向きに配置され、横画像は横向きに配置される。したがって、このレイアウトが選択された場合は、縦画像と横画像とが混在する頁が形成される場合があるが、撮影された日時順に各画像Ｇを配置することができる。
【００６４】
このように、操作者によるレイアウトの優先度に関する決定が終了するとステップＳ８に移行する。
なお、以上のような、レイアウトが選択されている間も、料金算出部３７は、常にレイアウトが変更される度に料金を再算出し、その料金は、表示制御部３２によってディスプレイ２２に表示されている。
【００６５】
ステップＳ８においては、表示制御部３２は、図１６に示すように、「プレビュー画面」をディスプレイ２２に表示する。この「プレビュー画面」では、ステップＳ８において決定したレイアウトに基づいて、パノラマアルバムにおける各頁が順番に３頁ずつ表示される。そして、この「プレビュー画面」では、各画像Ｇの上下に画像Ｇの順番を入れ替えるための順序入れ替えボタン５１が設けられている。このため、操作者は、最終的に、「プレビュー画面」を視認しながら各画像Ｇの順序を入れ替えることができる。
【００６６】
また、「プレビュー画面」の下側領域には、「プレビュー画面」に表示されているレイアウト状態におけるパノラマアルバムの料金が表示されている。この料金は、料金算出部３７によって算出されている。
ステップＳ１０においては、表示制御部３２は、次の注文用画面として、図示しない「注文内容確認画面」をディスプレイ２２に表示させる。この画面には、「注文の内容を確認してください」とのメッセージが表示されるとともに、メモリ２８に記憶された注文情報の詳細と、そのプリント料金とを一覧化した表示がされる。そして、操作者が「注文内容確認画面」におけるＯＫボタン（図示せず）を操作することによって、プリント注文に必要な全ての項目が完全に設定されたこととなり、次のステップＳ１１へと進む。
【００６７】
ステップＳ１１においては、ステップＳ１０において設定された注文情報を写真プリント装置５へ送信する。写真プリント装置５は、注文情報を受信すると、その内容に従ってプリントを実行する。
ステップＳ１２においては、表示制御部３２は、次の注文用画面として、図示しない「メディア取り出し案内画面」をディスプレイ２２に表示させる。この画面には、「メディアを取り出してください」とのメッセージが表示される。操作者は、この表示に従いメディアＭ１を取り出し、ＯＫボタン（図示せず）を操作することで、ステップＳ１３へ進む。
【００６８】
ステップＳ１３においては、表示制御部３２は、例えば、図示しない「受付証発行案内画面」をディスプレイ２２に表示させる。この画面には、「受付証を発行中です。しばらくお待ちください。」および「受付証はカウンターに持参してください。」とのメッセージが表示される。そして、一定時間が経過すると、ステップＳ１４へ進む。
ステップＳ１４においては、受付証発行処理部３５によって受付証ｒｅがプリントされる。このように受付証ｒｅが発行されると、受付処理の全てが終了して待機画面に復帰する。受付証ｒｅは、受付証本体とお客様控えとが連なった形態となっており、お客様名、電話番号、受付ＩＤ、端末ＩＤ、受付日、注文番号等の他に注文の詳細を示す内容等がプリントされている。操作者は、店頭の受付において、受付証ｒｅとパノラマアルバムとを引き換える。
【００６９】
［装置の特徴］
本実施形態の受付端末装置（写真処理装置）２は、図２および図４に示すように、複数の画像Ｇを含むパノラマサイズのアルバム用プリントを出力する装置であって、ディスプレイ（表示部）２２とタッチパネル（入力部）２３とレイアウト決定部３６とを備えている。ディスプレイ２２は、画面を表示する。タッチパネル２３は、操作者（ユーザ）によってパノラマアルバムを注文するための種々の情報が入力される。レイアウト決定部３６は、操作者が入力指定した所定の優先度に基づいて、パノラマアルバムにおける画像Ｇのレイアウトを決定する。
【００７０】
このような構成により、操作者によって入力指定された所定の優先度に基づいたレイアウトでパノラマアルバムを形成することができるため、例えば、低料金化を優先してアルバムを形成したり、撮影向きを優先してアルバムを形成したりすることができる。具体的には、低料金化を優先する場合は、１頁にプリントされる画像の枚数が多くなるように、全ての画像を横向きに配置してプリントすることができる。また、撮影向きを優先する場合は、横画像として撮影された画像と縦画像として撮影された画像とをそれぞれの撮影方向に応じた向きでプリントすることができる。また、所定枚数までの料金が一律で定められている場合は、この所定枚数を超えないように、上述の優先度を組み合わせてプリントすることもできる。
この結果、操作者は、アルバムにおける画像Ｇのレイアウトの優先度を選択することができる。したがって、ユーザの希望に応じたパノラマアルバムを形成することが可能になる。
【００７１】
［他の実施形態］
以上、本発明の一実施形態について説明したが、本発明は上記実施形態に限定されるものではなく、発明の要旨を逸脱しない範囲で種々の変更が可能である。
【００７２】
（Ａ）
上記実施形態では、各画像Ｇの撮影の向きを操作者が指定する例を挙げて説明した。しかし、本発明はこれに限定されるものではない。
例えば、画像Ｇの撮影の向きは、画像に付随するＥｘｉｆ情報などに基づいて、受付端末装置（写真処理装置）２が自動的に判断するものであってもよい。
これにより、操作者が各画像Ｇに対して個々に撮影の向きを指定する手間を省くことが可能になる。
【００７３】
（Ｂ）
上記実施形態では、パノラマアルバムのサイズは、横画像が横向きに配置された場合、縦に３枚配置することができるサイズである例を挙げて説明した。しかし、本発明はこれに限定されるものではない。
例えば、横画像が横向きに配置された場合、縦に４枚以上配置することができるサイズであってもよい。
これによっても、上記実施形態同様の効果を奏することが可能になる。
【００７４】
（Ｃ）
上記実施形態では、レイアウトの優先度が決定され、その優先度を優先した上で、各頁における各画像Ｇの配置の順序は撮影日時の早い順序に基づく例を挙げて説明した。しかし、本発明はこれに限定されるものではない。
例えば、撮影日時のおそい順序に基づくものであってもよい。
これによっても、上記実施形態同様の効果を奏することが可能である。
【００７５】
（Ｄ）
上記実施形態では、料金算出部３７がパノラマアルバムの料金を、レイアウトが変更される度に再算出し、この料金を常に表示する例を挙げて説明した。しかし、本発明はこれに限定されるものではない。
例えば、「プレビュー画面」においてのみ表示されるものであってもよい。
【００７６】
（Ｅ）
上記実施形態では、「撮影向きを優先するレイアウト」を操作者が選択し、図１３（ａ）に示すように、縦画像１枚と横画像１枚とがそれぞれ１の頁に配置された場合、この１枚ずつの縦画像と横画像とを合わせて１の頁に配置する例を挙げて説明した。しかし、本発明はこれに限定されるものではない。
例えば、余った画像Ｇ同士を同じ頁にするのではなく、縦画像を一枚ずつ繰り上げる構成であってもよい。
これによっても、上記実施形態と同様の効果を奏することができる。
【００７７】
（Ｆ）
上記実施形態では、図１に示すように、受付端末装置２が写真処理システム１に含まれ、写真プリント装置５にネットワーク８を介して通信可能に接続される例を挙げて説明した。しかし、本発明はこれに限定されるものではない。
【００７８】
例えば、図１８に示すように、受付端末装置（写真処理装置）８１と写真プリント装置８２とが一体化された受付端末機８０であっても本発明を適用することができる。このように一体化された受付端末機８０は、上記受付端末装置２の構成に加えて、下部に昇華型熱転写方式のプリンタを備えている。
このような構成によっても、上記実施形態と同様の効果を奏することが可能になる。
【００７９】
（Ｇ）
上記実施形態では、本発明を写真処理システム１に含まれる受付端末装置２として特定した例を挙げて説明した。しかし、本発明はこれに限定されるものではない。
例えば、図６に示すフローチャートに従って処理を行う写真処理プログラムとして、本発明を特定することも可能である。
この場合でも、上記と同様の効果を得ることができる。
【００８０】
（Ｈ）
上記実施形態では、店頭などに設置される受付端末装置（写真処理装置）１を介して、ユーザからの注文を直接受け付ける例を挙げて説明した。しかし、本発明はこれに限定されるものではない。
【００８１】
例えば、図１９に示すように、ユーザからインターネットを介してオーダを受け付ける、いわゆるネットプリントに対して、本発明を適用してもよい。
この場合には、ユーザは、受付端末装置１等の設置店まで行かなくても、自宅等においてＰＣを用いてパノラマアルバム用プリントを含む写真の注文を行うことで、写真プリント装置１０１ａ〜１０１ｄを用いてパノラマアルバム用プリントを含む写真プリントを郵送等の手段を介して得ることができる。
【産業上の利用可能性】
【００８２】
本発明の写真処理装置は、パノラマアルバム用プリントにおいて、ユーザが希望するレイアウトを選択することができるという効果を奏することから、任意の画像を所定の用紙に配置する場合のレイアウトを決定する装置に対して広く適用可能である。
【図面の簡単な説明】
【００８３】
【図１】本発明の一実施形態に係る受付端末装置を含む写真処理システムの外観を示す斜視図。
【図２】図１に示す受付端末装置の外観を示す斜視図。
【図３】図２に示す受付端末装置の構造的構成を示すブロック図。
【図４】図１に示す受付端末装置の機能的構成を示すブロック図。
【図５】図１に示す写真プリント装置の構造を示す側面視断面図。
【図６】図２に示す受付端末装置が行う処理を示すフローチャート図。
【図７】図２に示す受付端末装置が表示する画面の例を示す平面図。
【図８】図２に示す受付端末装置が表示する画面の例を示す平面図。
【図９】図２に示す受付端末装置が表示する画面の例を示す平面図。
【図１０】図２に示す受付端末装置が表示する画面の例を示す平面図。
【図１１】図２に示す受付端末装置が表示する画面の例を示す平面図。
【図１２】パノラマアルバムにおけるレイアウトの例を示す模式図。
【図１３】（ａ）〜（ｆ）は、パノラマアルバムにおけるレイアウトの例を示す模式図。
【図１４】パノラマアルバムにおけるレイアウトの例を示す模式図。
【図１５】パノラマアルバムにおけるレイアウトの例を示す模式図。
【図１６】図２に示す受付端末装置が表示する画面の例を示す平面図。
【図１７】図１に示す写真処理システムによって形成されるアルバム用プリントの例を示す平面図。
【図１８】本発明の他の実施形態に係る受付端末装置を含む受付端末機の外観を示す斜視図。
【図１９】本発明の他の実施形態に係る受付端末装置を含むネットプリントを示す概念図。
【符号の説明】
【００８４】
Ｍ１    メディア
Ｇ      画像
ＰＳ    用紙
１      写真処理システム
２      受付端末装置（写真処理装置）
５      写真プリント装置
６      操作ステーション
７      プリントステーション       ７
８      ネットワーク
２０    コントローラ
２１    筐体
２２    ディスプレイ（表示部）
２３    タッチパネル（入力部）
２４    メディアドライブ
２５    受付証プリンタ
２６    ハードディスク
２７    ＣＰＵ
２８    メモリ
３１    画像情報処理部
３２    表示制御部
３３    入力検出部（第１ステップ）
３４    注文情報処理部
３５    受付証発行処理部
３６    レイアウト決定部（第２ステップ）
３７    料金算出部
４２ｃ  中止ボタン
４２ｄ  戻るボタン
４３    メディアボタン
４４    ＯＫボタン
４５    出力形式指定ボタン
４６    フレーム
４６ｅ  進むボタン
４６ｄ  戻るボタン
４７    プリント指定ボタン
４７ａ  時計回り回転ボタン
４７ｂ  反時計回り回転ボタン
４７ｃ  補正ボタン
５０ａ  優先度指定ボタン
５０ｂ  優先度指定ボタン
５０ｃ  優先度指定ボタン
５１    順序入れ替えボタン
６１    フィルムスキャナ
６２    メディアリーダ
６３    モニタ
６４    キーボード
６５    マウス
７１    印画紙マガジン
７２    シートカッター
７３    バックプリント部
７４    プリント露光部
７５    処理槽ユニット
７５ａ  発色現像槽
７５ｂ  漂白定着槽
７５ｃ  安定処理層
７６    コンベア
７７    ソータ
７８    印画紙搬送機構
７８ａ  チャッカー式搬送ユニット
７８ｂ  挟持搬送ローラ対
８０    受付端末機
８１    受付端末装置（写真処理装置）
８２    写真プリント装置
１０１ａ  写真プリント装置
１０１ｂ  写真プリント装置
１０１ｃ  写真プリント装置
１０１ｄ  写真プリント装置
【図１】
2009239679.tif 000003
【図２】
2009239679.tif 000004
【図３】
2009239679.tif 000005
【図４】
2009239679.tif 000006
【図５】
2009239679.tif 000007
【図６】
2009239679.tif 000008
【図７】
2009239679.tif 000009
【図８】
2009239679.tif 000010
【図９】
2009239679.tif 000011
【図１０】
2009239679.tif 000012
【図１１】
2009239679.tif 000013
【図１２】
2009239679.tif 000014
【図１３】
2009239679.tif 000015
【図１４】
2009239679.tif 000016
【図１５】
2009239679.tif 000017
【図１６】
2009239679.tif 000018
【図１７】
2009239679.tif 000019
【図１８】
2009239679.tif 000020
【図１９】
2009239679.tif 000021